(57)【要約】 【課題】表示装置におけるモアレの発生を防止し、表示特性を向上させる。【解決手段】本発明の一実施例による表示装置は、格子パターンに形成された繊維組織を含んで互いに対向する第１及び第２基板と、第１及び第２基板の間に形成された画素層とを有し、第１基板の繊維組織は、第１方向及び第１方向と直交する第２方向に形成されており、第２基板の繊維組織は、第３方向及び第３方向と直交する第４方向に形成されており、第１方向と第３方向とが斜角を成すことを特徴とする。【選択図】      図３
2009265611.tif 000002
【特許請求の範囲】
【請求項１】
格子パターンに形成された繊維組織を含んで互いに対向する第１及び第２基板と、
前記第１及び第２基板の間に形成された画素層とを有し、
前記第１基板の繊維組織は、第１方向及び前記第１方向と直交する第２方向に形成されており、
前記第２基板の繊維組織は、第３方向及び前記第３方向と直交する第４方向に形成されており、
前記第１方向と前記第３方向とが斜角を成すことを特徴とする表示装置。
【請求項２】
前記第１方向と、前記第３方向又は前記第４方向とが成す角度は、１度以上８９度以下であることを特徴とする請求項１に記載の表示装置。
【請求項３】
前記画素層は、前記第１基板上に形成され、第５方向に延びる走査信号線と、
前記第５方向と直交する第６方向に延びるデータ線とを含むことを特徴とする請求項１に記載の表示装置。
【請求項４】
前記第５方向と、前記第１方向又は前記第３方向とが斜角を成すことを特徴とする請求項３に記載の表示装置。
【請求項５】
前記第５方向と、前記第１方向及び前記第３方向とが斜角を成すことを特徴とする請求項４に記載の表示装置。
【請求項６】
前記第５方向と、前記第１方向又は前記第３方向とが成す角度は、１度以上８９度以下又は９１度以上１７９度以下であることを特徴とする請求項４に記載の表示装置。
【請求項７】
前記第１及び第２基板は、プラスチックをさらに含むことを特徴とする請求項１に記載の表示装置。
【請求項８】
前記繊維組織は、ガラス繊維を含むことを特徴とする請求項７に記載の表示装置。
【請求項９】
前記プラスチックは、熱硬化性又は熱可塑性樹脂のいずれかを含むことを特徴とする請求項７に記載の表示装置。
【請求項１０】
第１方向に延びる走査信号線、及び前記第１方向と直交する第２方向に延びるデータ線を含む画素層と、
前記画素層上に形成されており、第３方向及び前記第３方向と直交する第４方向に延びて格子パターンを形成する繊維組織を含む第１基板と
を有し、
前記第１方向と前記第３方向とが斜角を成すことを特徴とする表示装置。
【請求項１１】
前記第１方向と前記第３方向又は前記第４方向とが成す角度は、１度以上８９度以下であることを特徴とする請求項１０に記載の表示装置。
【請求項１２】
前記画素層を介在して前記第１基板と対向し、格子パターンに形成された繊維組織を含む第２基板をさらに有することを特徴とする請求項１０に記載の表示装置。
【請求項１３】
前記第２基板の繊維組織は、第５方向及び前記第５方向と直交する第６方向に形成されており、
前記第５方向と、前記第１方向又は前記第３方向とが斜角を成すことを特徴とする請求項１２に記載の表示装置。
【請求項１４】
前記第５方向と、前記第１方向又は前記第３方向とが成す角度は、１度以上８９度以下又は９１度以上１７９度以下であることを特徴とする請求項１３に記載の表示装置。
【請求項１５】
第１方向に形成された繊維組織を含む第１基板と、
第２方向に形成された繊維組織を含む第２基板と、
前記第１及び第２基板の間に形成された画素層とを有し、
前記第１方向と前記第２方向とが斜角を成すことを特徴とする表示装置。
【請求項１６】
前記第１方向と前記第２方向とが成す角度は１度以上１７９度以下であることを特徴とする請求項１５に記載の表示装置。
【請求項１７】
前記画素層は、前記第１基板上に形成され、第３方向に延びる走査信号線と、前記第３方向と直交する第４方向に延びるデータ線とを含み、
前記第３方向と、前記第１方向又は前記第２方向とが斜角を成すことを特徴とする請求項１５に記載の表示装置。
【発明の詳細な説明】
【技術分野】
【０００１】
本発明は表示装置に関し、より詳しくは、フレキシブルディスプレイ装置（ｆｌｅｘｉｂｌｅ  ｄｉｓｐｌａｙ  ｄｅｖｉｃｅ）に関するものである。
【背景技術】
【０００２】
現在、表示装置としてはフラットパネルディスプレイ（平板表示装置）が圧倒的な市場を占有し、急速に成長している。フラットパネルディスプレイは、画面の大きさに比べて厚さの薄い表示装置を言い、幅広く使用されるフラットパネルディスプレイとしては、液晶表示装置と有機発光表示装置等がある。
【０００３】
液晶表示装置は、一般に、共通電極とカラーフィルタ等が形成されている上部表示板と、薄膜トランジスタと画素電極が形成されている下部表示板、及び二つの表示板の間に介在された液晶層を含む。画素電極と共通電極に電位差を与えると液晶層に電界が生成し、この電界によって液晶分子の配列方向が決定される。液晶分子の配列方向によって入射光の透過率が決定されるので、両電極間の電位差を調節することによって所望の画像を表示することができる。
【０００４】
有機発光表示装置は、正孔注入電極（アノード）と電子注入電極（カソード）、そしてこれらの間に形成されている有機発光層を含み、アノードから注入する正孔と、カソードから注入する電子が有機発光層で再結合し、励起状態から基底状態に戻る際に発光する自己発光型の表示装置である。
【０００５】
しかし、このような表示装置は、重くて破損しやすいガラス基板を使用しており、携帯性及び大画面表示に限界があった。そこで、最近は、重量が軽くて衝撃に強く、フレキシブルであるプラスチック基板を使用する表示装置が開発されている。
【０００６】
ここで、繊維強化プラスチック（ｆｉｂｅｒ  ｒｅｉｎｆｏｒｃｅｄ  ｐｌａｓｔｉｃ）を表示装置の両基板として使用する場合に、干渉現象によるモアレ（ｍｏｉｒｅ）が発生し、表示特性を低下させるという問題があった。
【発明の開示】
【発明が解決しようとする課題】
【０００７】
そこで、本発明は上記従来の問題点に鑑みてなされたものであって、本発明の目的は、モアレのような干渉フリンジの発生を防止し、表示装置の表示特性を向上させることである。
【課題を解決するための手段】
【０００８】
本発明の一実施例による表示装置は、格子パターンに形成された繊維組織を含んで互いに対向する第１及び第２基板と、第１及び第２基板の間に形成された画素層とを有し、第１基板の繊維組織は、第１方向及び第１方向と直交する第２方向に形成されており、第２基板の繊維組織は、第３方向及び第３方向と直交する第４方向に形成されており、第１方向と第３方向とが斜角を成す。第１方向と第３方向又は第４方向とが成す角度は、１度以上８９度以下であってもよい。画素層は、第１基板上に形成され、第５方向に延びる走査信号線と、第５方向と直交する第６方向に延びるデータ線を含んでもよい。第５方向と、第１方向又は第３方向とが斜角を成してもよい。第５方向と、第１方向及び第３方向とが斜角を成してもよい。第５方向と、第１方向又は第３方向とが成す角度は、１度以上８９度以下又は９１度以上１７９度以下であってもよい。第１及び第２基板は、プラスチックをさらに含んでもよい。繊維組織は、ガラス繊維を含んでもよい。プラスチックは、熱硬化性又は熱可塑性樹脂を含んでもよい。
【０００９】
本発明の他の実施例による表示装置は、第１方向に延びる走査信号線、及び第１方向と直交する第２方向に延びるデータ線を含む画素層と、画素層上に形成されており、第３方向及び第３方向と直交する第４方向に延びて格子パターンを形成する繊維組織を含む第１基板とを有し、第１方向と第３方向とが斜角を成す。第１方向と第３方向又は第４方向とが成す角度は、１度以上８９度以下であってもよい。画素層を介在して第１基板と対向し、格子パターンに形成された繊維組織を含む第２基板をさらに有してもよい。第２基板の繊維組織は、第５方向及び第５方向と直交する第６方向に形成されており、第５方向と、第１方向又は第３方向とが斜角を成してもよい。第５方向と第１方向又は第３方向とが成す角度は、１度以上８９度以下又は９１度以上１７９度以下であってもよい。
【００１０】
本発明の他の実施例による表示装置は、第１方向に形成された繊維組織を含む第１基板と、第２方向に形成された繊維組織を含む第２基板と、第１及び第２基板の間に形成された画素層とを有し、第１方向と第２方向とが斜角を成す。第１方向と第２方向とが成す角度は１度以上１７９度以下であってもよい。画素層は、第１基板上に形成され、第３方向に延びる走査信号線と、第３方向と直交する第４方向に延びるデータ線とを含み、第３方向は、第１方向又は第２方向とが斜角を成してもよい。
【発明の効果】
【００１１】
本発明によれば、モアレのような干渉フリンジの発生を防止し、表示装置の表示特性を向上させることができる。
【発明を実施するための最良の形態】
【００１２】
添付の図面を用いて、本発明の実施形態を、本発明が属する技術分野における通常の知識を有する者が容易に実施することができるように詳細に説明する。図面は、各種層及び領域を明確に表現するために、厚さを拡大して示している。明細書全体を通じて類似した部分については同一の参照符号を付けている。層、膜、領域、板等の部分が、他の部分の「上に」あるとするとき、これは他の部分の「すぐ上に」ある場合に限らず、その中間に更に他の部分がある場合も含む。逆に、ある部分が他の部分の「すぐ上に」あるとするとき、これは中間に他の部分がない場合を意味する。
【００１３】
まず、図１を参照して、本発明の一実施例による表示装置について説明する。
【００１４】
図１は本発明の一実施例による表示装置のブロック図である。図１を参照すると、本発明の一実施例による表示装置は、表示板（ｄｉｓｐｌａｙ−ｐａｎｅｌ）３００、走査駆動部４００及びデータ駆動部５００を有する。
【００１５】
表示板３００は、複数の信号線（Ｇ１〜Ｇｎ、Ｄ１〜Ｄｍ）とこれに接続されて、ほぼマトリクス（ｍａｔｒｉｘ）状に配列された複数の画素（ＰＸ）を含む。
【００１６】
信号線（Ｇ１〜Ｇｎ、Ｄ１〜Ｄｍ）は、走査信号を伝達する複数の走査信号線（ｓｃａｎｎｉｎｇ  ｌｉｎｅ）（Ｇ１〜Ｇｎ）、及びデータ電圧を伝達する複数のデータ線（ｄａｔａ  ｌｉｎｅ）（Ｄ１〜Ｄｍ）を含む。走査信号線（Ｇ１〜Ｇｎ）はほぼ横方向に延びて互いにほぼ平行であり、データ線（Ｄ１〜Ｄｍ）はほぼ縦方向に延びて互いにほぼ平行である。
【００１７】
画素（ＰＸ）は、薄膜トランジスタ等のスイッチング素子（図示せず）と電気信号を光に変換する電光変換素子（図示せず）を含む。画素（ＰＸ）は、走査信号線（Ｇ１〜Ｇｎ）からの走査信号に従ってターンオンしたスイッチング素子（図示せず）を介して、データ線（Ｄ１〜Ｄｍ）からのデータ電圧の印加を受け、電光変換素子（図示せず）を介して画像を表示する。電光変換素子（図示せず）は、液晶表示装置の場合は液晶層を有し、有機発光表示装置の場合は有機発光素子を有する。
【００１８】
走査駆動部４００は、表示板３００の走査信号線（Ｇ１〜Ｇｎ）に接続されており、高電圧（Ｖｏｎ）と低電圧（Ｖｏｆｆ）の組み合わせからなる走査信号を走査信号線（Ｇ１〜Ｇｎ）に印加する。
【００１９】
データ駆動部５００は、表示板３００のデータ線（Ｄ１〜Ｄｍ）に接続されており、画像信号を示すデータ電圧をデータ線（Ｄ１〜Ｄｍ）に印加する。
【００２０】
マトリクス状に配列された複数の画素（ＰＸ）間領域は、光が透過せず、複数の走査信号線（Ｇ１〜Ｇｎ）とデータ線（Ｄ１〜Ｄｍ）と共に表示板３００に格子（ｌａｔｔｉｃｅ）パターンを形成する。以下、図１に示すように、表示板３００の格子パターンの横線方向をｘ軸方向、縦線方向をｙ軸方向という。
【００２１】
次に、図１乃至図３を参照して、本発明の一実施例による表示装置の表示板３００について詳細に説明する。
【００２２】
図２Ａ及び図２Ｂは、各々、本発明の一実施例による表示装置において基板に含まれる繊維強化プラスチックの断面図及び平面図である。図３は、本発明の一実施例による表示装置を簡略化した分解斜視図である。
【００２３】
図３を参照すると、本発明の一実施例による表示装置の表示板３００は、構造的に、下部及び上部基板（１１０、２１０）と、両基板（１１０、２１０）の間に形成される画素層１０とを有する。
【００２４】
下部基板１１０及び上部基板２１０は、繊維強化プラスチック（ｆｉｂｅｒ  ｒｅｉｎｆｏｒｃｅｄ  ｐｌａｓｔｉｃ：ＦＲＰ）を含む。
【００２５】
図２Ａ及び図２Ｂに示すように、本発明の一実施例による繊維強化プラスチックは、互いにほぼ直交する二方向に形成された複数の繊維束５と、その間に含浸された樹脂６を含む。繊維束５は、図２Ｂに示すように、少なくとも一つの繊維１を含む。図２Ｂと異なり、繊維束５は一つの繊維１だけを含んでもよい。繊維１は、透明なガラス繊維、炭素繊維、アラミッド繊維、又はナイロン繊維であり、樹脂６は、ポリエステル、エポキシ樹脂等の熱硬化性樹脂又は熱可塑性樹脂である。以下、下部基板１１０において繊維束５が形成されている互いにほぼ直交する二方向を、各々ｘ１軸方向及びｙ１軸方向といい、上部基板２１０において繊維束５が形成されている互いにほぼ直交する二方向を、各々ｘ２軸方向及びｙ２軸方向という。
【００２６】
なお、他の実施例においては、基板（１１０、２１０）の繊維束５は一方向にのみ形成されてもよい。
【００２７】
図１及び図３を参照すると、画素層１０は、ｘ軸方向に形成された複数の走査信号線（Ｇ１〜Ｇｎ）、ｙ軸方向に形成された複数のデータ線（Ｄ１〜Ｄｍ）、および複数の走査信号線（Ｇ１〜Ｇｎ）と複数のデータ線（Ｄ１〜Ｄｍ）とが形成する格子パターンの間に位置してマトリクス状に配列された複数の画素（ＰＸ）を含む。
【００２８】
前述のように、各画素（ＰＸ）は、スイッチング素子（図示せず）と電光変換素子（図示せず）を含む。
【００２９】
下部基板１１０において繊維束５が形成されているｘ１軸及びｙ１軸方向は、各々画素層１０のｘ軸及びｙ軸方向に対してそれぞれ反時計方向に斜角ａ１を成し、上部基板２１０において繊維束５が形成されているｘ２軸及びｙ２軸方向は、各々画素層１０のｘ軸及びｙ軸方向に対してそれぞれ時計方向に斜角ａ２をなす。また、下部基板１１０において繊維束５が形成されているｘ１軸及びｙ１軸方向も、各々上部基板２１０において繊維束５が形成されているｘ２軸及びｙ２軸方向に対してそれぞれ斜角（ａ１＋ａ２）を成す。
【００３０】
これと反対に、ｘ１軸及びｙ１軸方向が、ｘ軸及びｙ軸方向に対してそれぞれ時計方向に斜角ａ１を成し、ｘ２軸及びｙ２軸方向が、ｘ軸及びｙ軸方向に対してそれぞれ反時計方向に斜角ａ２を成してもよく、いずれも同じ方向にｘ軸及びｙ軸方向に対してそれぞれ斜角（ａ１、ａ２）を成してもよい。
【００３１】
ここで、ｘ１軸とｘ軸とが成す斜角ａ１、ｘ２軸とｘ軸とが成す斜角ａ２、そしてｘ１軸とｘ２軸とが成す斜角（ａ１＋ａ２）は、各々１度以上８９度以下又は９１度以上１７９度以下である。
【００３２】
このように、格子パターンを含む下部基板１１０、上部基板２１０及び画素層１０を、それぞれの格子パターンが形成された方向が互いに斜角を成すように配置することによって、モアレ（ｍｏｉｒｅ）のような干渉フリンジ（ｉｎｔｅｒｆｅｒｅｎｃｅ  ｆｒｉｎｇｅ）の発生を防止することができる。ここで、二つの格子パターンが形成された方向が互いに斜角を成す場合とは、二つの格子パターンの各ｘ軸方向が互いに斜角を成す場合、或いは、一方の格子パターンのｘ軸方向ともう一方の格子パターンのｙ軸方向とが互いに斜角を成す場合を意味してもよい。
【００３３】
他の実施例においては、下部基板１１０、画素層１０及び上部基板２１０のうちいずれか二つについてのみ、各々の格子パターンが形成された方向が斜角を成してもよい。即ち、ｘ１軸方向とｘ軸方向のみ斜角ａ１を成すか、ｘ２軸方向とｘ軸方向のみ斜角ａ２を成すか、若しくはｘ１軸方向とｘ２軸方向のみ斜角を成してもよい。ここで各斜角（ａ１、ａ２）は、１度以上８９度以下又は９１度以上１７９度以下である。
【００３４】
また、他の実施例においては、上部基板２１０は省略してもよい。この場合、画素層１０の格子パターンと下部基板１１０の格子パターンの方向とが斜角を成すことにより、干渉フリンジを防止することができる。
【００３５】
さらに、他の実施例においては、下部及び上部基板（１１０、２１０）の繊維束５が一方向にのみ形成されており格子パターンを形成しない場合は、両基板（１１０、２１０）の繊維束５が形成された方向が互いに斜角を成してもよく、又は下部及び上部基板（１１０、２１０）の繊維束５が形成された方向と画素層１０の格子パターンの方向とが互いに斜角を成してもよい。
【００３６】
上記の通り、本発明によれば、表示装置におけるモアレの発生を防止し、表示特性を向上させることができる。
【００３７】
以上、本発明の好適な実施例について詳細に説明したが、本発明の技術的範囲は上記の実施例には限定されない。当業者であれば、特許請求の範囲で定義されている本発明の基本概念を利用して多様な変形及び改良が可能であろう。それらの変形及び改良形態も本発明の技術的範囲に属すると解されるべきである。
【図面の簡単な説明】
【００３８】
【図１】本発明の一実施例による表示装置のブロック図である。
【図２Ａ】本発明の一実施例による表示装置において基板に含まれる繊維強化プラスチックの断面図である。
【図２Ｂ】本発明の一実施例による表示装置において基板に含まれる繊維強化プラスチックの平面図である。
【図３】本発明の一実施例による表示装置を簡略化した分解斜視図である。
【符号の説明】
【００３９】
１    繊維
５    繊維束
６    樹脂
１０    画素層
１１０    下部基板
２１０    上部基板
３００    表示板
４００    走査駆動部
５００    データ駆動部
【図１】
2009265611.tif 000003
【図２Ａ】
2009265611.tif 000004
【図２Ｂ】
2009265611.tif 000005
【図３】
2009265611.tif 000006